(57)【要約】【課題】緊急警報情報が発せられたことを瞬時に報知することができる放送装置、警報システム、警報方法およびプログラムを提供する。【解決手段】放送装置１は、緊急警報情報を受信する緊急警報情報受信部１１と、緊急警報情報受信部１１が緊急警報情報を受信すると、ＡＣ信号を含む放送波を送信する放送波送信部１２と、を備える。ＡＣ信号は、警報出力を制御する警報制御装置２を起動させる起動フラグを含み、緊急警報情報に関する情報を含まない。【選択図】図１
2020123833.tif 000002
【特許請求の範囲】
【請求項１】
緊急警報情報を受信する緊急警報情報受信部と、
前記緊急警報情報受信部が前記緊急警報情報を受信すると、ＡＣ信号を含む放送波を送信する放送波送信部と、
を備え、
前記ＡＣ信号は、警報出力を制御する警報制御装置を起動させる起動フラグを含み、前記緊急警報情報に関する情報を含まない、
放送装置。
【請求項２】
放送装置と、警報出力を制御する警報制御装置と、を備える警報システムであって、
前記放送装置は、
緊急警報情報を受信する緊急警報情報受信部と、
前記緊急警報情報受信部が前記緊急警報情報を受信すると、ＡＣ信号を含む放送波を送信する放送波送信部と、
を備え、
前記ＡＣ信号は、警報出力を制御する警報制御装置を起動させる起動フラグを含み、前記緊急警報情報に関する情報を含まず、
前記警報制御装置は、
自装置を稼働状態または停止状態にする状態切替部と、
自装置が前記稼働状態または前記停止状態にかかわらず、前記放送波を受信する放送波受信部と、
警報を出力する警報出力部と、
を備え、
前記状態切替部は、自装置が前記停止状態である場合、前記放送波受信部が前記放送波を受信すると、自装置を前記停止状態から前記稼働状態へ切り替え、
前記警報出力部は、前記状態切替部が自装置を前記停止状態から前記稼働状態へ切り替えた場合に、警報を出力する、
警報システム。
【請求項３】
前記警報制御装置は、警報器と接続する接続部を有し、
前記警報出力部は、前記接続部に接続された前記警報器を介して警報を出力する、
請求項２に記載の警報システム。
【請求項４】
（ａ）緊急警報情報を受信するステップと、
（ｂ）前記緊急警報情報を受信すると、ＡＣ信号を含む放送波を送信するステップと、
を備え、
前記ＡＣ信号は、警報出力を制御する警報制御装置を起動させる起動フラグを含み、前記緊急警報情報に関する情報を含まない、
警報方法。
【請求項５】
放送装置と、警報出力を制御する警報制御装置と、を備えるシステムで、警報を出力する警報方法であって、
（ａ）前記放送装置で緊急警報情報を受信するステップと、
（ｂ）前記緊急警報情報を受信すると、前記警報制御装置を起動させる起動フラグを含み、前記緊急警報情報に関する情報を含まないＡＣ信号を有する放送波を送信するステップと、
（ｃ）前記警報制御装置が稼働状態または停止状態にかかわらず、前記警報制御装置で放送波を受信するステップと、
（ｄ）前記警報制御装置が前記停止状態である場合、前記（ｃ）のステップで前記放送波
を受信すると、前記警報制御装置を前記停止状態から前記稼働状態へ切り替えるステップと、
（ｅ）前記（ｄ）のステップで、前記警報制御装置を前記停止状態から前記稼働状態へ切り替えた場合に、警報を出力するステップと、
を備える、警報方法。
【請求項６】
コンピュータに、
（ａ）緊急警報情報を受信するステップと、
（ｂ）前記緊急警報情報を受信すると、ＡＣ信号を有する放送波を送信するステップと、を実行させ、
前記ＡＣ信号は、警報出力を制御する警報制御装置を起動させる起動フラグを含み、前記緊急警報情報に関する情報を含まない、
プログラム。
【発明の詳細な説明】
【技術分野】
【０００１】
本発明は、放送装置、警報システム、警報方法およびプログラムに関する。
【背景技術】
【０００２】
近年、災害発生時に危険の到来または避難情報などを速やかに伝達することが望まれている。特許文献１には防災・安全情報を提供する方法が開示されている。特許文献１の方法では、平時は、送信装置から受信装置へ音楽などのコンテンツをＶ−Ｌｏｗマルチメディア放送で配信している。緊急時には、自治体からの要請に応じて、送信装置から受信装置へ災害・安全情報を優先して配信している。この緊急時では、送信装置において、入力された防災・安全情報を含むセグメントを、自動起動信号を含む付加情報（ＡＣ信号）としてフレームを生成し、そのフレームをデジタル信号として送信している。複数の地域に防災・安全情報を配信する場合、送信装置では、複数のセグメントを生成し、それぞれのセグメントに、防災・安全情報の配信対象の地域を定義している。予め地域登録された受信装置が配信対象である場合、その受信装置は、送信されたデジタル信号を受信し、そのデジタル信号に付加情報が含まれていると、自動起動し、ユーザに対して、防災・安全情報を受信したことを知らせている。
【先行技術文献】
【特許文献】
【０００３】
【特許文献１】特開２０１６−１０３７８１号公報
【発明の概要】
【発明が解決しようとする課題】
【０００４】
防災・安全情報が大雨、洪水または竜巻などの局地性の高い情報である場合には、特許文献１の方法により、地域単位での防災・安全情報の提供を確実に行うことが可能となる。しかしながら、少しでも速く警告を発することが求められる緊急地震速報などの場合、特許文献１のように、防災・安全情報からセグメントを生成し、その際に配信地域を定義してフレームを生成する処理を行っていると、瞬時に警告を発せられないおそれがある。
【０００５】
そこで、本発明は、緊急警報情報が発せられたことを瞬時に報知することができる放送装置、警報システム、警報方法およびプログラムを提供することにある。
【課題を解決するための手段】
【０００６】
上記目的を達成するため、本発明の一側面における放送装置は、
緊急警報情報を受信する緊急警報情報受信部と、
前記緊急警報情報受信部が前記緊急警報情報を受信すると、ＡＣ信号を含む放送波を送信する放送波送信部と、
を備え、
前記ＡＣ信号は、警報出力を制御する警報制御装置を起動させる起動フラグを含み、前記緊急警報情報に関する情報を含まない、
ことを特徴とする。
【０００７】
また、上記目的を達成するため、本発明の一側面における警報システムは、
放送装置と、警報出力を制御する警報制御装置と、を備える警報システムであって、
前記放送装置は、
緊急警報情報を受信する緊急警報情報受信部と、
前記緊急警報情報受信部が前記緊急警報情報を受信すると、ＡＣ信号を含む放送波を
送信する放送波送信部と、
を備え、
前記ＡＣ信号は、警報出力を制御する警報制御装置を起動させる起動フラグを含み、前記緊急警報情報に関する情報を含まず、
前記警報制御装置は、
自装置を稼働状態または停止状態にする状態切替部と、
自装置が前記稼働状態または前記停止状態にかかわらず、前記放送波を受信する放送波受信部と、
警報を出力する警報出力部と、
を備え、
前記状態切替部は、自装置が前記停止状態である場合、前記放送波受信部が前記放送波を受信すると、自装置を前記停止状態から前記稼働状態へ切り替え、
前記警報出力部は、前記状態切替部が自装置を前記停止状態から前記稼働状態へ切り替えた場合に、警報を出力する、ことを特徴とする。
【０００８】
また、上記目的を達成するため、本発明の一側面における警報方法は、
（ａ）緊急警報情報を受信するステップと、
（ｂ）前記緊急警報情報を受信すると、ＡＣ信号を含む放送波を送信するステップと、
を備え、
前記ＡＣ信号は、警報出力を制御する警報制御装置を起動させる起動フラグを含み、前記緊急警報情報に関する情報を含まない、ことを特徴とする。
【０００９】
また、上記目的を達成するため、本発明の一側面における警報方法は、
放送装置と、警報出力を制御する警報制御装置と、を備えるシステムで、警報を出力する警報方法であって、
（ａ）前記放送装置で緊急警報情報を受信するステップと、
（ｂ）前記緊急警報情報を受信すると、前記警報制御装置を起動させる起動フラグを含み、前記緊急警報情報に関する情報を含まないＡＣ信号を有する放送波を送信するステップと、
（ｃ）前記警報制御装置が稼働状態または停止状態にかかわらず、前記警報制御装置で放送波を受信するステップと、
（ｄ）前記警報制御装置が前記停止状態である場合、前記（ｃ）のステップで前記放送波を受信すると、前記警報制御装置を前記停止状態から前記稼働状態へ切り替えるステップと、
（ｅ）前記（ｄ）のステップで、前記警報制御装置を前記停止状態から前記稼働状態へ切り替えた場合に、警報を出力するステップと、
を備える、ことを特徴とする。
【００１０】
さらに、上記目的を達成するため、本発明の一側面におけるプログラムは、
コンピュータに、
（ａ）緊急警報情報を受信するステップと、
（ｂ）前記緊急警報情報を受信すると、ＡＣ信号を有する放送波を送信するステップと、を実行させ、
前記ＡＣ信号は、警報出力を制御する警報制御装置を起動させる起動フラグを含み、前記緊急警報情報に関する情報を含まない、ことを特徴とする。
【発明の効果】
【００１１】
以上のように本発明によれば、放送装置が送信する放送波のＡＣ信号には、緊急警報情報に関する情報が含まれないため、緊急警報情報に関する情報を含むＡＣ信号を生成する必要がない。その生成処理を省略することで、放送装置が緊急警報情報を受信してから、
警報制御装置を起動させるまでの時間を短くすることができる。これにより、緊急警報情報が発せられたことを瞬時に報知することができる。
【図面の簡単な説明】
【００１２】
【図１】図１は、本発明の実施の形態に係る放送装置の概略構成を示す図である。
【図２】図２は、放送装置の具体的構成を示す図である。
【図３】図３は、ＡＣ信号の構成を示す図である。
【図４】図４は、警報制御装置の具体的構成を示す図である。
【図５】図５は、本発明の実施の形態に係る警報システムの利用例を説明するための図である。
【図６】図６は、本発明の実施の形態における放送装置の動作を示すフロー図である。
【図７】図７は、本発明の実施の形態における警報制御装置の動作を示すフロー図である。
【図８】図８は、本発明の実施の形態における放送装置を実現するコンピュータの一例を示すブロック図である。
【発明を実施するための形態】
【００１３】
（実施の形態）
以下、本発明の実施形態１における放送装置、警報システム、警告方法およびプログラムについて、図１〜図８を参照しながら説明する。
【００１４】
［装置構成］
最初に、図１を用いて、本発明の一実施の形態に係る放送装置および警報システムの概略構成について説明する。図１は、本発明の実施の形態に係る放送装置１の概略構成を示す図である。
【００１５】
図１に示すように、放送装置１は、警報制御装置２とともに利用される。まず、警報制御装置２について簡単に説明する。
【００１６】
警報制御装置２は、稼働状態または停止状態となる。稼働状態とは、電源がオンされた状態であって、動作が可能な状態である。停止状態とは、電源がオフされた状態である。停止状態には、電源がオンされた状態を保ちつつ省電力の状態となる、いわゆるスリープ状態（休止状態）が含まれる。
【００１７】
警報制御装置２は、Ｖ−Ｌｏｗ（ＶＨＳ−Ｌｏｗ）マルチメディア放送波によって配信される放送波を受信する受信装置である。警報制御装置２は、停止状態であっても放送波が受信可能である。停止状態である警報制御装置２が放送波を受信した場合、その放送波に、起動フラグを含むＡＣ（Ａｕｘｉｌｉａｒｙ  Ｃｈａｎｎｅｌ）信号が付加されていると、警報制御装置２は、停止状態から稼働状態へと切り替わる。
【００１８】
警報制御装置２は、警報出力を制御する装置である。警報制御装置２は、例えばスピーカまたは警告灯などを有する。または、警報制御装置２は、外部のスピーカまたは警告灯などと、有線または無線により接続される。警報制御装置２は、ＡＣ信号を含む放送波を受信すると、スピーカまたは警告灯から周囲に警告を発する。このとき、警報制御装置２が停止状態である場合、警報制御装置２は、上記のように停止状態から稼働状態へ切り替わり、スピーカまたは警告灯から周囲に警告を発する。
【００１９】
次に、放送装置１について説明する。
【００２０】
放送装置１は、緊急警報情報受信部１１と、放送波送信部１２とを備えている。
【００２１】
緊急警報情報受信部１１は緊急警報情報を受信する。緊急警報情報は、政府機関が全国瞬時警報システムを利用して発する情報である。緊急警報情報は、緊急地震速報、津波警報、洪水警報などである。
【００２２】
放送波送信部１２は、緊急警報情報受信部１１が緊急警報情報を受信すると、Ｖ−Ｌｏｗマルチメディア放送により、ＡＣ信号を含む放送波を送信する。本実施の形態のＡＣ信号には、緊急警報情報に関する情報が含まれず、警報制御装置２を起動させる起動フラグが含まれる。
【００２３】
なお、「緊急警報情報に関する情報」には、放送装置１が受信する緊急警報情報に含まれる情報、および、放送装置１においてユーザにより手入力された情報が含まれる。
【００２４】
以上のように、本実施の形態では、放送装置１が送信する放送波のＡＣ信号には、緊急警報情報に関する情報が含まれないため、放送装置１において、緊急警報情報に関する情報を含むＡＣ信号を生成する必要がない。その生成処理を省略することで、放送装置１が緊急警報情報を受信してから、停止状態の警報制御装置２を起動させるまでの時間を短くすることができる。警報制御装置２が起動することで警報が発せられるため、緊急警報情報が発せられたことを瞬時に報知することができる。
【００２５】
続いて、本発明の実施の形態における放送装置１、警報制御装置２およびそれを備えた警報システムについて更に具体的に説明する。
【００２６】
図２は、放送装置１の具体的構成を示す図である。図２に示すように、上述した放送装置１が備える放送波送信部１２は、フレーム構成部１２１と、信号変換部１２２と、送信部１２３とを有している。
【００２７】
放送波送信部１２は、Ｖ−Ｌｏｗマルチメディア放送により放送波を送信する。Ｖ−Ｌｏｗマルチメディア放送は、ＶＨＦ帯の９９ＭＨｚ〜１０８ＭＨｚを利用した放送である。Ｖ−Ｌｏｗマルチメディア放送では、複数のサブキャリアからなるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームが構成され、放送波として送信される。
【００２８】
従来、Ｖ−Ｌｏｗマルチメディア放送で緊急警報情報を伝送する場合、緊急警報情報は、ＯＦＤＭフレームのセグメント番号０に配置されるＡＣシンボルにより配信される。ＡＣシンボルは、ＡＣ信号により生成される。ＡＣ信号とは、省令で定められた、放送に関する付加情報信号である。放送に関する付加情報とは、変調波の伝送制御に関する付加情報または、上記の緊急警報情報に関する情報である。
【００２９】
フレーム構成部１２１は、ＡＣ信号を付加したＯＦＤＭフレームを構成する。本実施の形態では、フレーム構成部１２１は、警報制御装置２を起動させる起動フラグを含み、緊急警報情報に関する情報を含まないＡＣ信号を生成し、そのＡＣ信号を付加したＯＦＤＭフレームを構成する。
【００３０】
ここで、ＡＣ信号について詳述する。図３は、ＡＣ信号の構成を示す図である。図３に示すように、ＡＣ信号は、Ｂ０〜Ｂ２０３の２０４ビットのデータ量を持つ。
【００３１】
Ｂ０は復調基準信号である。
【００３２】
Ｂ１〜Ｂ３は構成識別である。Ｂ１〜Ｂ３により、ＡＣ信号が、変調波の伝送制御に関
する付加情報であるか、地震動警報情報であるかが区別される。例えば、構成識別を、０００,０１０,０１１,１００,１０１,１１１とした場合は、ＡＣ信号は、変調波の伝送制御に関する付加情報であると、受信側の警報制御装置２で区別される。また、構成識別を００１，１１０とした場合は、ＡＣ信号は緊急警報情報に関する情報であると、警報制御装置２で区別される。
【００３３】
警報制御装置２では、停止状態のときに、受信した放送波に含まれるＡＣ信号のＢ１〜Ｂ３の構成識別が、‘００１’、または、‘１１０’であると検出されると、警報制御装置２は、停止状態から稼働状態へと切り替わる。つまり、ＡＣ信号のＢ１〜Ｂ３の構成識別が、警報制御装置２を起動させる起動フラグとなる。
【００３４】
Ｂ４〜Ｂ２０３は、変調波の伝送制御に関する付加情報または緊急警報情報の詳細内容である。ＡＣ信号が緊急警報情報に関する情報である場合、Ｂ４〜Ｂ２０３の各ビットには、緊急警報情報の詳細内容（例えば、放送エリアなど）に応じた‘０’、‘１’、が設定される。この場合、予め決められた規則、または、手動により、‘０’、‘１’が設定され、ＡＣ信号が生成される。
【００３５】
本実施の形態では、ＡＣ信号には、緊急警報情報の内容を含めない。このため、フレーム構成部１２１は、ＯＦＤＭフレームを構成する際、Ｂ４〜Ｂ２０３の各ビットを、緊急警報情報に応じて設定する必要がない。詳しくは、フレーム構成部１２１は、Ｂ１〜Ｂ３の構成識別を、‘００１’、または、‘１１０’に設定し、Ｂ４〜Ｂ２０３の全てのビットを同値（‘１’または‘０’）に設定したＡＣ信号を生成する。そして、フレーム構成部１２１は、生成したＡＣ信号を付加したＯＦＤＭフレームを構成する。
【００３６】
このように、フレーム構成部１２１は、緊急警報情報の内容を解析することなく、Ｂ１〜Ｂ３の構成識別に‘００１’、または、‘１１０’を設定し、Ｂ４〜Ｂ２０３の各ビットには同値を設定するだけで、ＡＣ信号を自動的に生成する。このため、フレーム構成部１２１によるＯＦＤＭフレームの構成処理時間は、ＡＣ信号で緊急警報情報の詳細内容を伝送する場合よりも短縮される。
【００３７】
信号変換部１２２は、フレーム構成部１２１により構成されたＯＦＤＭフレームを、決められた周波数のデジタル信号に変換する。
【００３８】
送信部１２３は、信号変換部１２２により変換されたデジタル信号を送信する。
【００３９】
次に、警報制御装置２について説明する。図４は、警報制御装置２の具体的構成を示す図である。図４に示すように、警報制御装置２は、放送波受信部２１と、状態切替部２２と、警報出力部２３と、接続部２４とを備えている。
【００４０】
放送波受信部２１は、警報制御装置２が停止状態または稼働状態にかかわらず、放送装置１から送信された放送波を受信する。放送波受信部２１は、受信した放送波に含まれるＡＣ信号の復調基準信号に基づいて、ＡＣ信号を復調する。放送波受信部２１は、復調したＡＣ信号の構成識別が、緊急警報情報に関する情報の伝送である場合、つまり、Ｂ１〜Ｂ３が‘００１’または‘１１０’である場合、ＡＣ信号が緊急警報情報に関する情報であると判定する。
【００４１】
状態切替部２２は、警報制御装置２を稼働状態または停止状態にする。状態切替部２２は、警報制御装置２が稼働状態であるか、停止状態であるかを判定する。状態切替部２２は、警報制御装置２が停止状態である場合、ＡＣ信号が緊急警報情報に関する情報であると放送波受信部２１で判定されると、警報制御装置２を停止状態から稼働状態へと切り替
える。このように、警報制御装置２は、停止状態であっても、ＡＣ信号の起動フラグにより自動起動するため、常に稼働状態としておく必要がなく、省電力を実現できる。
【００４２】
なお、状態切替部２２は、受信した放送波にＡＣ信号が含まれていれば、警報制御装置２を停止状態から稼働状態へと切り替えるようにしても良い。この場合、ＡＣ信号の復調基準信号であるＢ０が起動フラグとなる。
【００４３】
警報出力部２３は、後述の接続部２４に接続される警報器３を介して警報を出力する。警報出力部２３は、警報制御装置２が稼働状態時に放送波受信部２１がＡＣ信号を受信した場合、または、状態切替部２２が警報制御装置２を停止状態から稼働状態へ切り替えた場合に、警報器３を介して警報を出力する。
【００４４】
接続部２４には警報器３が接続されている。警報器３は、スピーカ、警告灯またはデジタルサイネージなどであって、周囲に警報を発する機器である。警報器３がスピーカである場合、予め録音された音声がスピーカから出力される。また、警報器３が警告灯またはデジタルサイネージである場合、警告灯は予め決められた点灯パターンで点灯し、または、デジタルサイネージは予め決められたメッセージを表示する。
【００４５】
なお、接続部２４は、例えば、ＷｉＦｉ（登録商標）およびＢｌｕｅｔｏｏｔｈ（登録商標）等の公知の近距離無線通信の通信規格を利用して、警報器３と接続していても良いし、有線により警報器３と接続していても良い。
【００４６】
また、図４では、警報制御装置２は、警報器３を外部機器として、警報器３と接続する構成であるが、警報制御装置２自身が、スピーカまたは警告灯など、警告を出力する手段を有していても良い。また、警報制御装置２と警報器３とで、スマートフォン、タブレット端末、携帯ラジオなど、一つの装置を構成していても良い。
【００４７】
以下、本実施形態に係る放送装置１および警報制御装置２を備えた警報システム１００の利用例について説明する。
【００４８】
図５は、本発明の実施の形態に係る警報システム１００の利用例を説明するための図である。図５に示すように、警報システム１００は競技場２００に適用される。
【００４９】
警報制御装置２は、競技場２００の管理室２０１などに配置される。また、図５では、警報器３として、スピーカ３１および警告灯３２が示されている。スピーカ３１および警告灯３２は、観客席２０２の近傍に配置される。放送装置１は、緊急警報情報を受信可能な場所に配置され、競技場２００の施設管理者２１０に所有されている。
【００５０】
図５に示す例において、競技中に緊急警報情報が発せられ、放送装置１がその緊急警報情報を受信すると、放送装置１からＡＣ信号を含む放送波が送信される。ＡＣ信号には起動フラグが含まれていているため、警報制御装置２が停止状態であっても、その放送波を受信すると、警報制御装置２は稼働状態へ切り替わる。その後、警報制御装置２は、スピーカ３１および警告灯３２から、音声および光により警告を発する。
【００５１】
競技場２００内の観客等の多くはスマートフォンなど、緊急警報情報を受信できる端末を所有している。しかしながら、競技場２００など、特定の空間では、電波が届かず、緊急警報情報を受信できないことがある。このため、スピーカ３１および警告灯３２から、緊急警報情報の発令を報知することで、競技場２００内の観客および競技者などに、災害に備えた行動を促すことができる。
【００５２】
なお、放送装置１は、放送装置１が送信する放送波を警報制御装置２が受信できる範囲内に配置されていれば良く、競技場２００内であっても良いし、競技場２００外であっても良い。また、放送装置１は競技場２００がある地域の自治体に所有されていても良い。また、競技場２００に既存の電光掲示板または場内スピーカを、警報器３として用いても良い。さらに、警報システム１００は、競技場２００に限らず、映画館、コンサートホール内、車内など、特定の閉鎖空間に適用されても良い。
【００５３】
［システム動作］
次に、本発明の実施の形態における放送装置１および警報制御装置２の動作について、図６および図７を用いて説明する。図６は、本発明の実施の形態における放送装置１の動作を示すフロー図である。図７は、本発明の実施の形態における警報制御装置２の動作を示すフロー図である。以下の説明においては、適宜図１〜図４を参酌する。また、本実施の形態では、放送装置１および警報制御装置２を動作させることによって、警報方法が実施される。よって、本実施の形態における警報方法の説明は、以下の放送装置１および警報制御装置２の動作説明に代える。
【００５４】
最初に、図６を用いて、本実施の形態における放送装置１の動作について説明する。図６は、本発明の実施の形態における放送装置１の動作を示すフロー図である。
【００５５】
図６に示すように、まず、放送装置１は、緊急警報情報受信部１１が緊急警報情報を受信したか否かを判定する（Ｓ１）。緊急警報情報を受信していない場合（Ｓ１：ＮＯ）、放送装置１は緊急警報情報を受信するまで待機する。緊急警報情報受信部１１が緊急警報情報を受信した場合（Ｓ１：ＹＥＳ）、フレーム構成部１２１はＯＦＤＭフレームを構成する（Ｓ２）。そして、信号変換部１２２は、フレーム構成部１２１により構成されたＯＦＤＭフレームを、決められた周波数のデジタル信号に変換する（Ｓ３）。その後、放送波送信部１２は、デジタル信号を放送波として送信する（Ｓ４）。
【００５６】
次に、図７を用いて、本実施の形態における警報制御装置２の動作について説明する。図７は、本発明の実施の形態における警報制御装置２の動作を示すフロー図である。
【００５７】
図７に示すように、まず、放送波受信部２１は、放送波を受信したか否かを判定する（Ｓ１１）。放送波を受信していない場合（Ｓ１１：ＮＯ）、放送波受信部２１は放送波を受信するまで待機する。
【００５８】
放送波を受信した場合（Ｓ１１：ＹＥＳ）、放送波受信部２１は、放送波に含まれるＡＣ信号を復調する（Ｓ１２）。そして、放送波受信部２１は、ＡＣ信号が緊急警報情報に関する情報であるかを判定する（Ｓ１３）。つまり、放送波受信部２１は、ＡＣ信号のＢ１〜Ｂ３の構成識別が、‘００１’、または、‘１１０’であるかを判定する。
【００５９】
ＡＣ信号が緊急警報情報に関する情報でない場合（Ｓ１３：ＮＯ）、ステップＳ１１の処理に戻る。ＡＣ信号が緊急警報情報に関する情報である場合（Ｓ１３：ＹＥＳ）、状態切替部２２は、警報制御装置２の状態を取得し（Ｓ１４）、警報制御装置２が停止状態であるか否かを判定する（Ｓ１５）。
【００６０】
警報制御装置２が停止状態である場合、状態切替部２２は、警報制御装置２を停止状態から稼働状態へ切り替える（Ｓ１６）。そして、警報出力部２３は、接続部２４に接続された警報器３を介して警報を出力する（Ｓ１７）。
【００６１】
一方、警報制御装置２が停止状態でない場合（Ｓ１５：ＮＯ）、すなわち、警報制御装置２が稼働状態である場合、警報出力部２３は、接続部２４に接続された警報器３を介し
て警報を出力する（Ｓ１７）。
【００６２】
［発明の効果］
以上のように本実施の形態によれば、放送装置１が送信する放送波のＡＣ信号には、緊急警報情報に関する情報が含まれないため、緊急警報情報に関する情報を含むＡＣ信号を生成する必要がない。その生成処理を省略することで、放送装置１が緊急警報情報を受信してから、警報制御装置２を起動させるまでの時間を短くすることができる。これにより、緊急警報情報が発せられたことを瞬時に報知することができる。
【００６３】
［プログラム］
本発明の実施の形態におけるプログラムは、コンピュータに、図６に示すステップＳ１〜Ｓ４を実行させるプログラムであれば良い。このプログラムをコンピュータにインストールし、実行することによって、本実施の形態における放送装置と警報方法とを実現することができる。この場合、コンピュータのプロセッサは、緊急警報情報受信部１１および放送波送信部１２として機能し、処理を行なう。
【００６４】
また、本実施の形態におけるプログラムは、複数のコンピュータによって構築されたコンピュータシステムによって実行されても良い。この場合は、例えば、各コンピュータが、それぞれ、緊急警報情報受信部１１および放送波送信部１２のいずれかとして機能しても良い。
【００６５】
［物理構成］
ここで、本実施の形態におけるプログラムを実行することによって、放送装置１を実現するコンピュータについて図８を用いて説明する。図８は、本発明の実施の形態における放送装置１を実現するコンピュータの一例を示すブロック図である。
【００６６】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２５を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００６７】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００６８】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６９】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、Ｃ
ＰＵ１１１と、他のコンピュータとの間のデータ伝送を仲介する。
【００７０】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００７１】
なお、本実施の形態における放送装置１は、プログラムがインストールされたコンピュータではなく、各部に対応したハードウェアを用いることによっても実現可能である。更に、放送装置１は、一部がプログラムで実現され、残りの部分がハードウェアで実現されていてもよい。
【００７２】
上述した実施の形態の一部又は全部は、以下に記載する（付記１）〜（付記６）によって表現することができるが、以下の記載に限定されるものではない。
【００７３】
（付記１）
緊急警報情報を受信する緊急警報情報受信部と、
前記緊急警報情報受信部が前記緊急警報情報を受信すると、ＡＣ信号を含む放送波を送信する放送波送信部と、
を備え、
前記ＡＣ信号は、警報出力を制御する警報制御装置を起動させる起動フラグを含み、前記緊急警報情報に関する情報を含まない、
放送装置。
【００７４】
（付記２）
放送装置と、警報出力を制御する警報制御装置と、を備える警報システムであって、
前記放送装置は、
緊急警報情報を受信する緊急警報情報受信部と、
前記緊急警報情報受信部が前記緊急警報情報を受信すると、ＡＣ信号を含む放送波を送信する放送波送信部と、
を備え、
前記ＡＣ信号は、警報出力を制御する警報制御装置を起動させる起動フラグを含み、前記緊急警報情報に関する情報を含まず、
前記警報制御装置は、
自装置を稼働状態または停止状態にする状態切替部と、
自装置が前記稼働状態または前記停止状態にかかわらず、前記放送波を受信する放送波受信部と、
警報を出力する警報出力部と、
を備え、
前記状態切替部は、自装置が前記停止状態である場合、前記放送波受信部が前記放送波を受信すると、自装置を前記停止状態から前記稼働状態へ切り替え、
前記警報出力部は、自装置が前記稼働状態で前記放送波受信部が前記放送波を受信した場合、または、前記状態切替部が自装置を前記停止状態から前記稼働状態へ切り替えた場合に、警報を出力する、
警報システム。
【００７５】
（付記３）
前記警報制御装置は、警報器と接続する接続部を有し、
前記警報出力部は、前記接続部に接続された前記警報器を介して警報を出力する、
付記２に記載の警報システム。
【００７６】
（付記４）
（ａ）緊急警報情報を受信するステップと、
（ｂ）前記緊急警報情報受信部が前記緊急警報情報を受信すると、ＡＣ信号を含む放送波を送信するステップと、
を備え、
前記ＡＣ信号は、警報出力を制御する警報制御装置を起動させる起動フラグを含み、前記緊急警報情報に関する情報を含まない、
警報方法。
【００７７】
（付記５）
放送装置と、警報出力を制御する警報制御装置と、を備えるシステムで、警報を出力する警報方法であって、
（ａ）前記放送装置で緊急警報情報を受信するステップと、
（ｂ）前記緊急警報情報受信部が前記緊急警報情報を受信すると、前記警報制御装置を起動させる起動フラグを含み、前記緊急警報情報に関する情報を含まないＡＣ信号を有する放送波を送信するステップと、
（ｃ）前記警報制御装置が稼働状態または停止状態にかかわらず、前記警報制御装置で放送波を受信するステップと、
（ｄ）前記警報制御装置が前記停止状態である場合、前記（ｃ）のステップで前記放送波を受信すると、前記警報制御装置を前記停止状態から前記稼働状態へ切り替えるステップと、
（ｅ）前記（ｃ）のステップで、前記稼働状態である前記警報制御装置が、前記放送波を受信した場合、または、前記（ｄ）のステップで、前記警報制御装置を前記停止状態から前記稼働状態へ切り替えた場合に、警報を出力するステップと、
を備える、警報方法。
【００７８】
（付記６）
コンピュータに、
（ａ）緊急警報情報を受信するステップと、
（ｂ）前記緊急警報情報受信部が前記緊急警報情報を受信すると、警報出力を制御する警報制御装置を起動させる起動フラグを含み、前記緊急警報情報に関する情報を含まないＡＣ信号を有する放送波を送信するステップと、
を実行させる、プログラム。
【産業上の利用可能性】
【００７９】
以上のように本発明によれば、緊急警報情報が発せられたことを瞬時に報知することができる。
【符号の説明】
【００８０】
１      放送装置
２      警報制御装置
３      警報器
１１    緊急警報情報受信部
１２    放送波送信部
１００  警報システム
２００  競技場
【図１】
2020123833.tif 000003
【図２】
2020123833.tif 000004
【図３】
2020123833.tif 000005
【図４】
2020123833.tif 000006
【図５】
2020123833.tif 000007
【図６】
2020123833.tif 000008
【図７】
2020123833.tif 000009
【図８】
2020123833.tif 000010